(57)【特許請求の範囲】
【請求項１】
多数の条体からなる束と、
前記多数の条体からなる束を緊締するための緊締部とその緊締部から延びる延設部を有する緊締体と、
挿入孔を有する条体保持器と、
前記緊締体の延設部が前記条体保持器の挿入孔に挿入された状態において前記延設部が前記挿入孔に対し挿入の向きに移動し得るが挿入の向きと逆向きに移動することを防ぎ得る固定用係合部を備え、
前記多数の条体からなる束が中間部において前記緊締体の緊締部により緊締され、前記束の中間部のうち緊締部により緊締された箇所の両側の部分が、前記条体保持器に圧接した状態となるように、前記緊締体の延設部が前記条体保持器の挿入孔に挿入された状態で、前記固定用係合部により前記延設部が前記挿入孔に対し挿入の向きと逆向きに移動することが防がれることにより、緊締体の延設部と条体保持器が固定されていることを特徴とする条体束保持体。
【請求項２】
上記緊締体は、帯状部とその帯状部を挿通する挿通部とを一体状に有してなるものであり、
前記帯状部が前記挿通部に挿通された状態において、それらの帯状部と挿通部が環状をなして上記緊締部を構成すると共に、帯状部のうち緊締部を構成しない部分が上記延設部を構成し、
緊締部により条体の束を締め付けることにより緊締部が縮小すると同時に、帯状部のうち緊締部を構成していた部分が延設部の一部になって延設部が延長されるものである請求項１記載の条体束保持体。
【請求項３】
上記緊締体における帯状部と挿通部には、帯状部が挿通部に対し緊締部を締める向きに移動し得るが緊締部を締める向きと逆向きに移動することを防ぐ緊締用係合部が設けられている請求項１又は２記載の条体束保持体。
【請求項４】
上記挿入孔が条体保持器の外部へ貫通しており、上記延設部が前記挿入孔を通じて条体保持器の外部に達し得、
条体保持器の外部において前記延設部が挿入され得る挿入部を備えた固定部材を有し、
前記延設部と前記固定部材の挿入部に上記固定用係合部が設けられ、
前記挿入孔を挿通した前記延設部が条体保持器の外部において前記固定部材の挿入部に挿入され、その固定部材における挿入部の挿入口側が条体保持器により支持された状態で、前記固定用係合部により前記延設部が前記挿入孔に対し挿入の向きと逆向きに移動することが防がれることにより、緊締体の延設部と条体保持器が固定されている請求項１、２又は３記載の条体束保持体。
【請求項５】
上記延設部と上記条体保持器の挿入孔に上記固定用係合部が設けられ、上記延設部が挿入孔に挿入されて前記固定用係合部により延設部が挿入孔に対し挿入の向きと逆向きに移動することが防がれることにより、緊締体の延設部と条体保持器が固定されている請求項１、２又は３記載の条体束保持体。
【請求項６】
上記多数の条体からなる束が、中間部が緊締されることにより、被緊締箇所から両側に離れるに従い、被緊締箇所の両側の条体群がそれぞれ全体として側方に広がるものである請求項１乃至５の何れか１項に記載の条体束保持体。
【請求項７】
上記束を構成する条体がスプリットヤーン糸である請求項６記載の条体束保持体。
【請求項８】
上記条体保持器が、外部に開口する椀形内面部を有し、上記挿入孔は、前記椀形内面部の一部から外方へ向かうものであり、上記束のうち緊締部により緊締された箇所を含む部分が、その束の側方において前記条体保持器の椀形内面部の開口からその椀形内面部内に挿入され、前記束の中間部のうち緊締部により緊締された箇所の両側の部分が、前記椀形内面部内に圧接した状態で、緊締体の延設部と条体保持器が固定され、前記束における緊締部により緊締された条体群の端部側は、椀形内面部の開口の外部に位置する請求項１乃至５の何れか１項に記載の条体束保持体。
【請求項９】
上記束における緊締部により緊締された箇所の両側の条体群の端部側が、椀形内面部の開口の外部に位置する請求項８記載の条体束保持体。
【請求項１０】
上記多数の条体からなる束が、中間部が緊締されることにより、被緊締箇所から両側に離れるに従い、被緊締箇所の両側の条体群がそれぞれ全体として側方に広がるものである請求項９記載の条体束保持体。
【請求項１１】
上記束を構成する条体がスプリットヤーン糸である請求項１０記載の条体束保持体。
【請求項１２】
上記束における緊締部により緊締された箇所の両側の条体群同士が、椀形内面部の開口の外部において混合している請求項９乃至１１の何れか１項に記載の条体束保持体。
【請求項１３】
上記束における緊締部により緊締された箇所の両側の条体群の条体の端部が、椀形内面部の開口の外部において椀形内面部よりも径方向外方まで広がっている９乃至１２の何れか１項に記載の条体束保持体。
【請求項１４】
上記条体保持器が、椀形内面部を複数有し、
それらの椀形内面部毎に、椀形内面部の一部から外方へ向かう挿入孔と、中間部において緊締体の緊締部により緊締された束を有し、
前記椀形内面部毎に、緊締体の延設部が前記挿入孔に挿入すると共に、前記束のうち前記緊締部により緊締された箇所を含む部分が、その束の側方において前記条体保持器の椀形内面部の開口からその椀形内面部内に挿入され、前記束の中間部のうち緊締部により緊締された箇所の両側の部分が、前記椀形内面部内に圧接した状態で、緊締体の延設部と条体保持器が固定され、前記束における緊締部により緊締された箇所の両側の条体群の端部側は、椀形内面部の開口の外部に位置する請求項８乃至１３の何れか１項に記載の条体束保持体。
【請求項１５】
上記複数の椀形内面部が並列状に隣接している請求項１４記載の条体束保持体。
【発明の詳細な説明】
【技術分野】
【０００１】
本発明は、多数の条体からなる束を保持し、その条体群の端部側等を各種清掃又は洗浄等に用い得る条体束保持体に関する。
【背景技術】
【０００２】
特開２００１−７８８３３号公報には、洗剤なしで洗える繊維を同サイズでカットし中央部を同繊維の紐（２）で束ねた毛部分（１）、左右の側面の外側に滑落防止部（６）・内側に毛押さえ止め部（１４）・上面に数カ所のスベリ止め部（５）・複数のはめ込み凸部（４）を有する毛乗せ部（３）、毛乗せ部（３）のはめ込み凸部（４）の位置に合わせてはめ込み凹部（８）・複数のストッパー（９）を有する毛押さえ部（７）、中央部に柄取付部分（１１）・左右の側面に滑落防止穴（１２）を有するカバー（１０）からなるバスタブ洗いが記載されている。
【０００３】
このバスタブ洗いを製造するには、数個の毛部分（１）を毛乗せ部（３）の上に横に並べ、はめ込み凸部（４）を毛押さえ部（７）のはめ込み凹部（８）へはめ込み、毛押さえ部（７）の両端を毛押さえ止め部（１４）で固定する。そしてそれら全体をカバー（１０）の中へ押し込み、滑落防止部（６）を滑落防止穴（１２）へ入れてずれおちないようにするという工程を要する。
【０００４】
このような工程は、煩雑であり、この洗剤なしで洗える繊維からなるバスタブ洗いは、効率良く製造し得るものとは言い得ないものであった。
【先行技術文献】
【特許文献】
【０００５】
【特許文献１】特開２００１−７８８３３号公報
【発明の概要】
【発明が解決しようとする課題】
【０００６】
本発明の目的とするところは、多数の条体の束を保持し、条体群の端部側を清掃・洗浄等に用い得、効率的に製造可能な条体束保持体を提供することにある。
【課題を解決するための手段】
【０００７】
(1) 上記目的を達成する本発明の条体束保持体は、
多数の条体からなる束と、
前記多数の条体からなる束を緊締する緊締部とその緊締部から延びる延設部を有する緊締体と、
挿入孔を有する条体保持器を備え、
前記多数の条体からなる束が中間部において前記緊締体の緊締部により緊締され、
その緊締体の延設部が前記条体保持器の挿入孔に挿入された状態で、緊締体の延設部と条体保持器が固定されていることを特徴とする。
【０００８】
前記の多数の条体からなる束が中間部において緊締体の緊締部により緊締され、その緊締体のうち緊締部から延びる延設部が条体保持器の挿入孔に挿入され、緊締体の延設部と条体保持器が固定されることにより、多数の条体からなる束が条体保持器に対し固定保持された条体束保持体が効率的に得られる。
【０００９】
(1-1) 上記条体束保持体は、上記緊締体の延設部が条体保持器の挿入孔に挿入された状態において前記延設部が前記挿入孔に対し挿入の向きと逆向きに移動することを防ぎ得る固定用係合部を備え、
その固定用係合部により前記延設部が前記挿入孔に対し挿入の向きと逆向きに移動することが防がれることにより、緊締体の延設部と条体保持器が固定されているものとすることができる。
【００１０】
固定用係合部により緊締体の延設部が条体保持器の挿入孔に対し挿入の向きと逆向きに移動することが防がれることによって、緊締体の延設部と条体保持器が固定される。
【００１１】
(1-1-1) この条体束保持体は、上記挿入孔が条体保持器の外部へ貫通しており、上記延設部が前記挿入孔を通じて条体保持器の外部に達し得、
条体保持器の外部において前記延設部が挿入され得る挿入部を備えた固定部材を有し、
前記延設部と前記固定部材の挿入部に上記固定用係合部が設けられ、
前記挿入孔を挿通した前記延設部が条体保持器の外部において前記固定部材の挿入部に挿入され、その固定部材における挿入部の挿入口側が条体保持器により支持された状態で、前記固定用係合部により前記延設部が前記挿入孔に対し挿入の向きと逆向きに移動することが防がれることにより、緊締体の延設部と条体保持器が固定されているものとすることができる。
【００１２】
この場合、条体保持器の挿入孔を挿通した延設部が条体保持器の外部において固定部材の挿入部に挿入され、その固定部材における挿入部の挿入口側が条体保持器により支持された状態で、固定用係合部により前記延設部が前記挿入孔に対し挿入の向きと逆向きに移動することが防がれることにより、緊締体の延設部と条体保持器が固定される。
【００１３】
(1-1-2) 上記条体束保持体は、上記延設部と上記条体保持器の挿入孔に上記固定用係合部が設けられ、上記延設部が挿入孔に挿入されて前記固定用係合部により延設部が挿入孔に対し挿入の向きと逆向きに移動することが防がれることにより、緊締体の延設部と条体保持器が固定されているものとすることができる。
【００１４】
この場合、緊締体の延設部が条体保持器の挿入孔に挿入されて固定用係合部により延設部が挿入孔に対し挿入の向きと逆向きに移動することが防がれることによって、緊締体の延設部と条体保持器が固定される。
【００１５】
(1-2) 上記条体束保持体は、
上記緊締体が、帯状部とその帯状部を挿通する挿通部（挿通するための孔部を有する部分）とを一体状に有してなるものであり、
前記帯状部が前記挿通部に挿通された状態において、それらの帯状部と挿通部が環状をなして上記緊締部を構成すると共に、帯状部のうち緊締部を構成しない部分が上記延設部を構成し、前記帯状部と前記挿通部には、帯状部が挿通部に対し前記緊締部を締める向きと逆向きに移動することを防ぐ緊締用係合部が設けられているものとすることができる。
【００１６】
この場合、帯状部が挿通部に挿通されてそれらの帯状部と挿通部が環状の緊締部を構成し、多数の条体からなる束がその緊締部に挿通した状態で、前記緊締部を締める向きに帯状部を挿通部に対し移動させることにより、その緊締部により前記束を緊締することができる。
【００１７】
緊締した状態で帯状部が挿通部に対し前記緊締部を締める向きと逆向きに（従って緊締部を緩める向きに）移動することは、帯状部と挿通部に設けられた緊締用係合部により防がれる。
【００１８】
(1-3) 上記条体束保持体は、上記多数の条体からなる束が、中間部が緊締されることにより、被緊締箇所から両側に離れるに従い、被緊締箇所の両側の条体群がそれぞれ全体として側方に広がるものとすることができる。
【００１９】
また、上記束を構成する条体は、スプリットヤーン糸であるものとすることができる。
【００２０】
(2) 本発明の条体束保持体は、上記条体保持器が、外部に開口する椀形内面部を有し、上記挿入孔は、前記椀形内面部の一部から外方へ向かうものであり、上記束のうち緊締部により緊締された箇所を含む部分が、その束の側方において前記条体保持器の椀形内面部の開口からその椀形内面部内に挿入された状態で、緊締体の延設部と条体保持器が固定され、前記束における緊締部により緊締された条体群の端部側は、椀形内面部の開口の外部に位置するものとすることが望ましい。
【００２１】
前記の多数の条体からなる束が中間部において緊締体の緊締部により緊締され、その緊締体のうち緊締部から延びる延設部が前記条体保持器の椀形内面部の一部から外方へ向かう挿入孔に挿入すると共に、前記束のうち前記緊締部により緊締された箇所を含む部分が、その束の側方において前記条体保持器の椀形内面部の開口からその椀形内面部内に挿入された状態で、緊締体の延設部と条体保持器が固定されることにより、束における緊締部により緊締された条体群の端部側は、椀形内面部の開口の外部に位置するものとなる。そのため、条体束保持体を効率的に得ることができる。
【００２２】
緊締体の延設部と条体保持器は、例えば、上記固定用係合部により前記延設部が前記挿入孔に対し挿入の向きと逆向きに移動することが防がれることにより固定されているものとすることができる。
【００２３】
(2-1) 上記条体束保持体は、束における緊締部により緊締された箇所の両側の条体群の端部側が、椀形内面部の開口の外部に位置するものであることが望ましい。
【００２４】
(2-1-1) 上記条体束保持体は、上記多数の条体からなる束が、中間部が緊締されることにより、被緊締箇所から両側に離れるに従い、被緊締箇所の両側の条体群がそれぞれ全体として側方に広がるものとすることができる。
すなわち、この条体束保持体は、
多数の条体からなる束であって、中間部が緊締されることにより、被緊締箇所から両側に離れるに従い、被緊締箇所の両側の条体群がそれぞれ全体として側方に広がるものと、
前記多数の条体からなる束を緊締する緊締部とその緊締部から延びる延設部を有する緊締体と、
外部に開口する椀形内面部を有すると共に椀形内面部の一部から外方へ向かう挿入孔を有する条体保持器を備え、
前記多数の条体からなる束が中間部において前記緊締体の緊締部により緊締され、
その緊締体の延設部が前記条体保持器の挿入孔に挿入すると共に、前記束のうち前記緊締部により緊締された箇所を含む部分が、その束の側方において前記条体保持器の椀形内面部の開口からその椀形内面部内に挿入された状態で、緊締体の延設部と条体保持器が固定され、
前記束における緊締部により緊締された箇所の両側の条体群の端部側は、椀形内面部の開口の外部に位置するものである。
【００２５】
この場合、前記束は、多数の条体からなり、中間部が緊締されることにより、被緊締箇所から両側に離れるに従い、被緊締箇所の両側の条体群がそれぞれ全体として側方に広がるものである。
【００２６】
そのため、前記の多数の条体からなる束が中間部において緊締体の緊締部により緊締され、その緊締体のうち緊締部から延びる延設部が前記条体保持器の椀形内面部の一部から外方へ向かう挿入孔に挿入すると共に、前記束のうち前記緊締部により緊締された箇所を含む部分が、その束の側方において前記条体保持器の椀形内面部の開口からその椀形内面部内に挿入された状態で、緊締体の延設部と条体保持器が固定されることにより、束における緊締部により緊締された箇所の両側の条体群の端部側は、分散した状態で椀形内面部の開口の外部に位置するものとなる。そのため、椀形内面部の開口の外部に位置する条体群の端部側により、各種清掃又は洗浄等に効果的に用いることができる。
【００２７】
また、上記束を構成する条体は、スプリットヤーン糸であるものとすることができる。
【００２８】
(2-1-2) 本発明の条体束保持体は、上記束における緊締部により緊締された箇所の両側の条体群同士が、椀形内面部の開口の外部において混合しているものとすることができる。
【００２９】
(2-1-3) 本発明の条体束保持体は、上記束における緊締部により緊締された箇所の両側の条体群の条体の端部が、椀形内面部の開口の外部において椀形内面部よりも径方向外方まで広がっているものとすることができる。
【００３０】
(2-2) 上記条体束保持体は、上記束の中間部のうち緊締部により緊締された箇所の両側の部分が、椀形内面部内に圧接した状態をなすものとすることができる。
【００３１】
この場合、上記束のうち前記緊締部により緊締された箇所を含む部分が、その束の側方において前記条体保持器の椀形内面部の開口からその椀形内面部内に挿入され、その束のうち緊締部により緊締された箇所の両側の部分が、椀形内面部内に圧接した状態で、緊締体の延設部と条体保持器が固定されるので、前記束が条体保持器に安定的に保持される。なお、前記のように椀形内面部内に圧接するのは、束の中間部のうち緊締部により緊締された箇所の両側の相当部分であればよい。
【００３２】
(2-3) 本発明の条体束保持体は、
上記条体保持器が、椀形内面部を複数有し、
それらの椀形内面部毎に、椀形内面部の一部から外方へ向かう挿入孔と、中間部において緊締体の緊締部により緊締された束を有し、
前記椀形内面部毎に、緊締体の延設部が前記挿入孔に挿入すると共に、前記束のうち前記緊締部により緊締された箇所を含む部分が、その束の側方において前記条体保持器の椀形内面部の開口からその椀形内面部内に挿入された状態で、緊締体の延設部と条体保持器が固定され、前記束における緊締部により緊締された箇所の両側の条体群の端部側は、椀形内面部の開口の外部に位置するものとすることができる。
【００３３】
この場合、複数の椀形内面部毎に多数の条体からなる束が保持される。
【００３４】
(2-3-1) 前記条体束保持体は、複数の椀形内面部が並列状に隣接しているものとすることができる。
【００３５】
この場合、並列状に隣接した複数の椀形内面部にそれぞれ多数の条体からなる束が保持されたものとなる。
【発明の効果】
【００３６】
本発明の条体束保持体においては、多数の条体からなる束が中間部において緊締体の緊締部により緊締され、その緊締体のうち緊締部から延びる延設部が条体保持器の挿入孔に挿入され、緊締体の延設部と条体保持器が固定されることにより、多数の条体からなる束が条体保持器に対し固定保持された条体束保持体が効率的に得られ、条体保持器に対し固定保持された条体群の端部側等を、各種清掃又は洗浄等に効果的に用いることができる。
【図面の簡単な説明】
【００３７】
【図１】緊締体の正面図である。
【図２】緊締体の一部拡大正面図である。
【図３】条体束保持体の製造工程を示す破砕斜視図である。
【図４】条体束保持体の製造工程を示す断面図である。
【図５】条体束保持体の製造工程を示す断面図である。
【図６】条体束保持体の製造工程を示す破砕斜視図である。
【図７】条体束保持体の製造工程を示す破砕斜視図である。
【図８】緊締体の緊締部により束を緊締した状態を示す要部模式図である。
【図９】別の条体束保持体の製造工程を示す正面図である。
【図１０】別の条体束保持体の製造工程を示す正面図である。
【発明を実施するための形態】
【００３８】
(1) 図１乃至図８は、何れも本発明の条体束保持体の実施の形態の例としての洗浄具に関するものである。この洗浄具は、主に浴槽、浴室又はその他の対象物の洗浄に用いるものであり、合成樹脂製の浴槽やユニットバス等の合成樹脂製の浴室内面の洗浄に特に適する。
【００３９】
(1-1) この洗浄具は、多数の条体Ｓからなる束Ｂと、緊締体Ｆと、条体保持器Ｄと、固定部材Ａと、柄体Ｈからなる
【００４０】
束Ｂを構成する条体Ｓは、ポリプロピレンに対し少量のポリエチレンを混合したポリマーアロイ製の一軸延伸合成フィルムに縦方向の切れ目が多数形成されたものを、幅方向（フィルムの送り方向に直交する方向）に拡げたときに網状となるスプリットヤーン糸である。
【００４１】
この束Ｂは、同一材料で同一長さの多数の条体Ｓからなるものであり、それらの条体Ｓからなる束Ｂの両端間の中点の部分が緊締体Ｆの緊締部Ｆ１により緊締されることにより、被緊締箇所から両側に離れるに従い、被緊締箇所の両側の条体Ｓ群（多数の条体Ｓの群）がそれぞれ全体として側方（条体Ｓの軸線方向に対し直交する方向）に広がるが、被緊締箇所から両側に離れることにより、緊締した状態から自然の状態に側方に広がった場合、その両側方において更に広がるものではない。
【００４２】
緊締体Ｆは、可撓性の帯状部Ｆ２とその帯状部Ｆ２を挿通する挿通部Ｆ３（挿通するための孔部を有する部分）とがポリアミド樹脂により一体成形されたものである。帯状部Ｆ２を挿通部Ｆ３に挿通することにより、それらの帯状部Ｆ２と挿通部Ｆ３が環状をなして緊締部Ｆ１を構成すると共に、帯状部Ｆ２のうち緊締部Ｆ１を構成しない部分が延設部Ｆ４を構成する。
【００４３】
この帯状部Ｆ２の片面に、その軸線に沿って多数連続的に設けられた係合歯Ｆ２ａと、挿通部Ｆ３に設けられた係止部Ｆ３ａが、帯状部Ｆ２が挿通部Ｆ３に対し緊締部Ｆ１を締める向きと逆向きに移動することを防ぐ緊締用係合部を構成する。各係合歯Ｆ２ａは、帯状部Ｆ２の片面において軸線に直交する方向の突条状に形成されている。係止部Ｆ３ａは、片持梁状の支持部Ｆ３ｂの端部に、係合歯Ｆ２ａに係止し得る係止歯Ｆ３ｃを有してなる。係止部Ｆ３ａにおける支持部Ｆ３ｂは、帯状部Ｆ２が挿通部Ｆ３に対し緊締部Ｆ１を締める向きに移動する場合には係止歯Ｆ３ｃが各係合歯Ｆ２ａを係止しないように弾性的に撓み変形し、帯状部Ｆ２が挿通部Ｆ３に対しそれと逆向きに移動する場合には実質上撓み変形せず係止歯Ｆ３ｃが各係合歯Ｆ２ａを係止する。
【００４４】
よって、帯状部Ｆ２を、挿通部Ｆ３に対し緊締部Ｆ１を締める向きに移動させることにより、緊締部Ｆ１は、条体Ｓの束Ｂを緊締する内周の長さを漸次縮小させて締め付けることができる。緊締部Ｆ１により条体Ｓの束Ｂを締め付けることにより緊締部Ｆ１が縮小すると同時に緊締部Ｆ１を構成していた部分が延設部Ｆ４の一部になって延設部Ｆ４が延長される。
【００４５】
(1-2) 図１乃至図８に示す例における条体保持器Ｄは、下方に開口する略半球面状の椀形内面部Ｄ１ａを有する略半球殻部Ｄ１と、その略半球殻部Ｄ１の頂部付近から斜上方に伸びる円筒状の柄連結部Ｄ２からなる。略半球殻部Ｄ１には、椀形内面部Ｄ１ａから外方へ向かい柄連結部Ｄ２の基部内に貫通する挿入孔Ｄ１ｂが設けられている。椀形内面部Ｄ１ａのうち挿入孔Ｄ１ｂが開口する部分には、緊締体Ｆの挿通部Ｆ３が収容される収容凹部Ｄ１ｃを有する。また、略半球殻部Ｄ１の椀形内面部Ｄ１ａには、径方向内方に突起し開口部Ｄ１ｄから上方に延びるリブＤ１ｅを、周方向間隔おきに複数箇所に有する。
【００４６】
固定部材Ａは、略円柱状をなし、緊締体Ｆの帯状部Ｆ２が構成する延設部Ｆ４が挿入され得る挿入部Ａ１を備え、緊締体Ｆの延設部Ｆ４を挿入部Ａ１に挿入しつつ円筒状の柄連結部Ｄ２内に挿入し得る。
【００４７】
緊締体Ｆの帯状部Ｆ２に、その軸線に沿って多数連続的に設けられた係合歯Ｆ２ａと、固定部材Ａの挿入部Ａ１に設けられた係止部Ａ１ａが、帯状部Ｆ２が構成する延設部Ｆ４が挿入部Ａ１に対し挿入の向きと逆向きに移動することが防がれる固定用係合部を構成する。係止部Ａ１ａは、挿通部Ｆ３に設けられた係止部Ｆ３ａと同様に構成され、各係合歯Ｆ２ａが、帯状部Ｆ２が挿入部Ａ１に対し挿入する向きに移動（換言すれば、挿入部Ａ１が、帯状部Ｆ２に対し緊締部Ｆ１を締める向きに相対的に移動）する場合には係止しないように弾性的に変形し、帯状部Ｆ２が挿入部Ａ１に対しそれと逆向きに移動する場合には係止するように設けられている。
【００４８】
柄体Ｈは、その基部を条体保持器Ｄにおける円筒状の柄連結部Ｄ２内に嵌挿固定することにより、条体保持器Ｄに連結することができる。
【００４９】
(1-3) 図９及び図１０に示す例における条体保持器Ｊは、中間部が下方開口の略半円筒状、両端部が下方開口の略４分の１球殻状の殻状をなし、内側には、下方に開口する略半球面状の同一形状の３つの椀形内面部Ｊ１ａを長手方向に隣接して並列状に有し、外側の長手方向中央位置には円筒状の柄連結部Ｊ２を有する。
【００５０】
条体保持器Ｊには、椀形内面部Ｊ１ａから外部に貫通する挿入孔Ｊ１ｂが設けられている。挿入孔Ｊ１ｂは、緊締体Ｆの帯状部Ｆ２が構成する延設部Ｆ４が挿入され得るものであり、挿入孔Ｊ１ｂには係止部Ｊ１ｃが設けられている。
【００５１】
緊締体Ｆの帯状部Ｆ２に、その軸線に沿って多数連続的に設けられた係合歯Ｆ２ａと、条体保持器Ｊの挿入孔Ｊ１ｂに設けられた係止部Ｊ１ｃが、帯状部Ｆ２が構成する延設部Ｆ４が挿入孔Ｊ１ｂに対し挿入の向きと逆向きに移動することが防がれる固定用係合部を構成する。係止部Ｊ１ｃは、挿通部Ｆ３に設けられた係止部Ｆ３ａと同様に構成され、各係合歯Ｆ２ａが、帯状部Ｆ２が挿通孔Ｊ１ｂに対し挿入する向きに移動（換言すれば、挿通孔Ｊ１ｂが、帯状部Ｆ２に対し緊締部Ｆ１を締める向きに相対的に移動）する場合には係止しないように弾性的に変形し、帯状部Ｆ２が挿入孔Ｊ１ｂに対しそれと逆向きに移動する場合には係止するように設けられている。
【００５２】
柄体Ｈは、その基部を条体保持器Ｊにおける円筒状の柄連結部Ｊ２内に嵌挿固定することにより、条体保持器Ｊに連結することができる。
【００５３】
(2) これらの洗浄具は、例えば次のように製造することができる。
【００５４】
(2-1) 緊締体Ｆの帯状部Ｆ２を挿通部Ｆ３に挿通して形成した環状の緊締部Ｆ１に束Ｂを挿通し、挿通部Ｆ３を帯状部Ｆ２に対し緊締部Ｆ１を締める向きに相対的に移動させてその内周の長さを漸次縮小させることにより、束Ｂの両端間の中点の部分を緊締部Ｆ１により緊締する。帯状部Ｆ２が挿通部Ｆ３に対し緊締部Ｆ１を締める向きに移動する場合には、緊締体Ｆの挿通部Ｆ３に設けられた係止部Ｆ３ａが、帯状部Ｆ２の軸線に沿って多数連続的に設けられた係合歯Ｆ２ａに係止しないように弾性的に変形し、帯状部Ｆ２が挿通部Ｆ３に対しそれと逆向きに移動する場合は係止部Ｆ３ａが係合歯Ｆ２ａに係止する。そのため、束Ｂを一旦締め付けた緊締部Ｆ１が緩むことが防がれ、効率的に束Ｂを緊締することができる。
【００５５】
(2-2) 次いで、図１乃至図８に示す例においては、束Ｂを緊締した緊締体Ｆにおける帯状部Ｆ２のうち、挿通部Ｆ３に挿通され、挿通部Ｆ３から突出して緊締部Ｆ１の外方に出た部分である延設部Ｆ４を、条体保持器Ｄの挿入孔Ｄ１ｂに挿通して条体保持器Ｄの外部に突出させ、更に、条体保持器Ｄの外部において固定部材Ａの挿入口から挿入部Ａ１に挿通し、挿入部Ａ１の逆側から突出させる。
【００５６】
その上で、固定部材Ａの挿入部Ａ１から突出した延設部Ｆ４を引きながら固定部材Ａを条体保持器Ｄの柄連結部Ｄ２内の最奥部に挿入し、束Ｂのうち緊締部Ｆ１により緊締された箇所を含む部分が束Ｂの側方において条体保持器Ｄの椀形内面部Ｄ１ａの開口からその椀形内面部Ｄ１ａ内に挿入され、緊締体Ｆの挿通部Ｆ３が収容凹部Ｄ１ｃに収容され、束Ｂのうち緊締部Ｆ１により緊締された箇所の両側の部分が椀形内面部Ｄ１ａ内に圧接した状態とすると共に、固定部材Ａにおける挿入部Ａ１の挿入口側が条体保持器Ｄにより支持された状態とする。束Ｂにおける緊締部Ｆ１により緊締された箇所の両側の条体Ｓ群同士は、椀形内面部Ｄ１ａ内及び椀形内面部Ｄ１ａの開口の外部において混合し、束Ｂにおける緊締部Ｆ１により緊締された箇所の両側の条体Ｓ群の条体Ｓの端部は、椀形内面部Ｄ１ａの開口の外部において椀形内面部Ｄ１ａよりも径方向外方まで広がった状態となる。
【００５７】
延設部Ｆ４が条体保持器Ｄの挿入孔Ｄ１ｂ及び固定部材Ａの挿入部Ａ１に対し挿入の向きに移動する場合には、固定部材Ａの挿入部Ａ１に設けられた係止部Ａ１ａが、帯状部Ｆ２の軸線に沿って多数連続的に設けられた係合歯Ｆ２ａに係止しないように弾性的に変形し、延設部Ｆ４がそれと逆向きに移動する場合は係止部Ａ１ａが係合歯Ｆ２ａに係止する。そのため、固定部材Ａの挿入部Ａ１から突出した延設部Ｆ４が外部側へ引かれて束Ｂのうち緊締部Ｆ１により緊締された箇所を含む部分が束Ｂの側方において条体保持器Ｄの椀形内面部Ｄ１ａの開口からその椀形内面部Ｄ１ａ内に挿入されて束Ｂのうち緊締部Ｆ１により緊締された箇所の両側の部分が椀形内面部Ｄ１ａ内に圧接した状態が緩むことが防がれる。
【００５８】
(2-3) また、図９及び図１０に示す例においては、束Ｂを緊締した緊締体Ｆにおける帯状部Ｆ２のうち延設部Ｆ４を、条体保持器Ｊの挿入孔Ｊ１ｂに挿通して条体保持器Ｊの外部に突出させる。
【００５９】
条体保持器Ｊの外部に突出した延設部Ｆ４を十分に引き出すことにより、束Ｂのうち緊締部Ｆ１により緊締された箇所を含む部分が束Ｂの側方において条体保持器Ｊの椀形内面部Ｊ１ａの開口からその椀形内面部Ｊ１ａ内に挿入されて束Ｂのうち緊締部Ｆ１により緊締された箇所の両側の部分が椀形内面部Ｊ１ａ内に圧接した状態とする。束Ｂにおける緊締部Ｆ１により緊締された箇所の両側の条体Ｓ群同士は、椀形内面部Ｊ１ａ内及び椀形内面部Ｊ１ａの開口の外部において混合し、束Ｂにおける緊締部Ｆ１により緊締された箇所の両側の条体Ｓ群の条体Ｓの端部は、椀形内面部Ｊ１ａの開口の外部において椀形内面部Ｊ１ａよりも径方向外方まで広がった状態となる。この場合、隣接した椀形内面部Ｊ１ａにそれぞれ保持された束Ｂの条体Ｓ群の一部は、椀形内面部Ｊ１ａの開口の外部において混合しているものとすることができる。
【００６０】
延設部Ｆ４が条体保持器Ｊの挿入孔Ｊ１ｂに対し挿入の向きに移動する場合には、その挿入孔Ｊ１ｂに設けられた係止部Ｊ１ｃが、帯状部Ｆ２の軸線に沿って多数連続的に設けられた係合歯Ｆ２ａに係止しないように弾性的に変形し、延設部Ｆ４がそれと逆向きに移動する場合は係止部Ｊ１ｃが係合歯Ｆ２ａに係止する。そのため、条体保持器Ｊの挿入孔Ｊ１ｂを通じて外部に突出した延設部Ｆ４が外部側へ引かれて束Ｂのうち緊締部Ｆ１により緊締された箇所を含む部分が束Ｂの側方において条体保持器Ｊの椀形内面部Ｊ１ａの開口からその椀形内面部Ｊ１ａ内に挿入されて束Ｂのうち緊締部Ｆ１により緊締された箇所の両側の部分が椀形内面部Ｊ１ａ内に圧接した状態が緩むことが防がれる。条体保持器Ｊの挿入孔Ｊ１ｂに挿通して条体保持器Ｊの外部に突出した延設部Ｆ４は、適宜切断することができる。図１０における右側の延設部Ｆ４は未切断状態を示す。
【００６１】
(2-4) このように、何れの例においても、多数の条体Ｓからなる束Ｂを緊締体Ｆにより緊締し、緊締された束Ｂのうち緊締部Ｆ１により緊締された箇所を含む部分を椀形内面部Ｄ１ａ又はＪ１ａの開口からその椀形内面部Ｄ１ａ又はＪ１ａ内に挿入させて束Ｂのうち緊締部Ｆ１により緊締された箇所の両側の部分が椀形内面部Ｄ１ａ又はＪ１ａ内に圧接した状態として緊締体Ｆの延設部Ｆ４と条体保持器Ｄ又はＪを固定し、束Ｂにおける緊締部Ｆ１により緊締された箇所の両側の条体Ｓ群同士が椀形内面部Ｄ１ａ又はＪ１ａ内及び椀形内面部Ｄ１ａ又はＪ１ａの開口の外部において混合し、束Ｂにおける緊締部Ｆ１により緊締された箇所の両側の条体Ｓ群の条体Ｓの端部は椀形内面部Ｄ１ａ又はＪ１ａの開口の外部において椀形内面部Ｄ１ａ又はＪ１ａよりも径方向外方まで広がった状態の洗浄具を効率的に製造することができる。
【００６２】
(3) 本発明における条体束保持体は、中間部が緊締部により緊締された条体束のうち、椀形内面部の開口の外部に位置する条体群の端部側により清掃又は洗浄を行う清掃具又は洗浄具として主に用いることができる。
【００６３】
(4) 本発明における束は、多数の条体（好ましくは同一状の長さの条体）からなるものであり、その中間部が緊締されることにより、被緊締箇所から両側に離れるに従い、被緊締箇所の両側の条体群（多数の条体の群）がそれぞれ全体として側方（条体の軸線方向に対し直交する方向）に広がるものである。なお、本発明における束は、前記被緊締箇所から両側に離れる距離の如何にかかわらず側方に広がるものであることを要するものではなく、距離がある程度長くなれば側方に広がらないものであってよい。また本発明における束は、被緊締箇所から両側に離れることにより、緊締した状態から自然の状態に側方に広がった場合、その両側方において更に広がることを要するものではない。
【００６４】
このような束を構成する条体は、可撓性の線状体や帯状体等の細長材、例えば、合成繊維、天然繊維、半合成繊維、又は合成樹脂フィルム等からなる糸状体又は紐状体等から選択することができる。好ましく用いることができるものの例として、スプリットヤーン糸を挙げることができる。
【００６５】
スプリットヤーン糸は、例えば、一軸延伸合成フィルムに縦方向の切れ目が多数形成されたものを、幅方向（フィルムの送り方向に直交する方向）に拡げたときに網状となる糸状体とすることにより得ることができる。スプリットヤーン糸の材料として好ましいのは、ポリプロピレン、或いは、ポリプロピレンに対し少量のポリエチレンを混合したものである。
【００６６】
スプリットヤーンの太さは、例えば５００乃至５０００ｄＴｅｘとすることができる。好適な太さは、１０００乃至３０００ｄＴＸ、例えば２０００ｄＴｅｘである。また本発明におけるスプリットヤーンとしては、例えばスリット幅が０．４乃至０．７ｍｍのものを用いることができる。また本発明におけるスプリットヤーンの原材料である、ポリプロピレン、或いは、ポリプロピレンに対し少量のポリエチレンを混合したもののロックウェル硬さとしては、例えば８５乃至１１０ＨＲＣのものを用いることができる。硬い方が掻きとり効果は上がるが、硬すぎると洗浄対象に傷が付きやすくなる。
【００６７】
なお、本発明における束は、同一種類の条体の種類のみからなるものの他、複数種（例えば材料や太さ・断面形状等の形態等が異なるもの）の条体からなるものとすることもできる。
【００６８】
本発明における束が緊締体の緊締部により緊締される中間部は、好ましくは長手方向の中央部、より好ましくは長手方向の中点である。
【００６９】
(5) 本発明における緊締体は、緊締部とその緊締部から延びる延設部を有する。
【００７０】
緊締部は、多数の条体からなる束を緊締するためのものであり、全部又は部分が可撓性又は非可撓性である環状部とすることができる。この環状部は、好ましくは紐状又は帯状材からなるものとすることができる。
【００７１】
緊締部は、条体の束を緊締する内周の長さを漸次縮小させて締め付けることができるもの（例えば全体又は部分が可撓性材料からなるもの）とすることが好ましく、閉じていない状態から環状を形成して内周の長さを漸次縮小させつつ条体の束を締め付けることができるものであることがより好ましい。なお、緊締部を、開閉可能な環状部で、閉じることにより条体の束を緊締し得、閉じた状態の内周の長さは一定であるものとすることもできる。
【００７２】
緊締部の材料として好ましいのは、可撓性を有する合成樹脂（好ましくはポリアミド樹脂、ポリプロピレン樹脂、フッ素樹脂を挙げることができる）である。
【００７３】
緊締部から延びる延設部は、全部又は部分が可撓性又は非可撓性である細長材、好ましくは紐状又は帯状材、からなるものとすることができる。緊締部が環状部である場合、延設部は、環状部から径方向外方に延びるものとすることができる。
【００７４】
延設部の材料として好ましいのは、可撓性を有する合成樹脂（好ましくはポリアミド樹脂、ポリプロピレン樹脂、フッ素樹脂を挙げることができる）である。
【００７５】
緊締体を構成する緊締部と延設部は、一体をなすものであることが好ましいが、別体の緊締部と延設部が結合して緊締体を構成するものとすることもできる。
【００７６】
緊締部と延設部が一体をなす場合、緊締部により条体の束を締め付けることにより緊締部が縮小すると同時に緊締部を構成していた部分が延設部の一部になって延設部が延長されるものとすることができる。例えば、可撓性の細長材のうち、一部が緊締部として機能し、それ以外の部分が延設部を構成するものであって、緊締部が縮小すれば延設部が延長されるものとすることができる。
【００７７】
より具体的には、例えば、緊締体は、帯状部とその帯状部を挿通する挿通部とを一体状に有してなるもの（例えば合成樹脂により一体成形されたもの）であり、
前記帯状部が前記挿通部に挿通された状態において、それらの帯状部と挿通部が環状をなして上記緊締部を構成すると共に、帯状部のうち緊締部を構成しない部分が上記延設部を構成し、前記帯状部と前記挿通部には、帯状部が挿通部に対し前記緊締部を締める向きと逆向きに移動（換言すれば、挿通部が、帯状部に対し緊締部を締める向きと逆向きに相対的に移動）することを防ぐ緊締用係合部が設けられているものとすることができる。
【００７８】
このような緊締用係合部としては、帯状部に、その軸線に沿って多数（好ましくは連続的に）設けられた係合歯と、挿通部に、前記各係合歯が、帯状部が挿通部に対し緊締部を締める向きに移動する場合には係止しないように弾性的に変形又は変位し、帯状部が挿通部に対しそれと逆向きに移動する場合には係止するように設けられた係止部からなるものとすることができる。
【００７９】
(6) 本発明における条体保持器は、外部に開口する椀形内面部を有すると共に椀形内面部から外方へ向かう挿入孔を有する。
【００８０】
椀形内面部は、内面部の形状が椀形状をなす。椀形内面部の具体的な形状としては、例えば半球面状若しくはその他の平面で球を二分割した一方における球面形状又は楕円体の表面の一部等の凹曲面形状、各種正多面体又はその他の多面体の表面の一部の形状等を例示することができる。好ましくは、開口部の中央に直交する軸線のまわりに回転対称状をなす形状、より好ましくは任意角度で回転対称状をなす形状である。
【００８１】
条体保持器が有する挿入孔は、椀形内面部の一部（好ましくは椀形内面部の最奥部。例えば半球面の場合、その頂部）から外方へ向かう。挿入孔は、外部へ通じ、延設部が挿通し得るものとすることが好ましいが、外部へ通じないか又は延設部が挿通し得ないものとすることもできる。
【００８２】
(7) 緊締体の延設部と条体保持器は、緊締体の延設部が前記条体保持器の挿入孔に挿入すると共に、前記束のうち前記緊締部により緊締された箇所を含む部分が、その束の側方（束を構成する条体の方向に交差[好ましくは直角若しくはそれに近い角度で交差]する方向）において条体保持器の椀形内面部の開口からその椀形内面部内に挿入された状態（例えば、緊締体の延設部が条体保持器の挿入孔に挿入されるに伴い緊締体によって束が椀形内面部内に引き込まれて挿入された状態）で、固定される。
【００８３】
この場合、前記束のうち緊締部により緊締された箇所の両側の部分が、椀形内面部内に圧接した状態をなすものとすることができる。
【００８４】
(8) 緊締体の延設部と条体保持器の固定は、例えば次のa)、b)、又はc)のようなものとすることができる。
【００８５】
a) 上記緊締体の延設部が条体保持器の挿入孔に挿入した状態において前記延設部が前記挿入孔に対し挿入の向きと逆向きに移動することを防ぎ得る固定用係合部を備え、その固定用係合部により前記延設部が前記挿入孔に対し挿入の向きと逆向きに移動することが防がれることにより、緊締体の延設部と条体保持器が固定されるもの。
【００８６】
このような固定用係合部としては、緊締体の延設部に、条体保持器の挿入孔に挿入する方向に沿って多数（好ましくは連続的に）設けられた係合歯と、条体保持器の挿入孔又はその他の部分若しくは部材に、前記各係合歯が、前記延設部が前記挿入孔に対し挿入する向きに移動する場合は係止しないように弾性的に変形又は変位し、延設部が挿入孔に対しそれと逆向きに移動する場合には係止するよう設けられた係止部からなるものとすることができる。
【００８７】
b) 上記挿入孔が条体保持器の外部へ貫通しており、上記延設部が前記挿入孔を通じて椀形内面部内から条体保持器の外部に達し得、
条体保持器の外部において前記延設部が挿入され得る挿入部を備えた固定部材を有し、
前記延設部と前記固定部材の挿入部に上記固定用係合部が設けられ、
前記挿入孔を挿通した前記延設部が条体保持器の外部において前記固定部材の挿入部に挿入され、その固定部材における挿入部の挿入口側が条体保持器により支持された状態で、前記固定用係合部により前記延設部が前記挿入孔に対し挿入の向きと逆向きに移動することが防がれることにより、緊締体の延設部と条体保持器が固定されるもの。
【００８８】
このような固定用係合部としては、緊締体の延設部に、条体保持器の挿入孔に挿入する方向に沿って多数（好ましくは連続的に）設けられた係合歯と、固定部材における挿入部に、前記各係合歯が、前記延設部が前記挿入孔に対し挿入する向きに移動する場合は係止しないように弾性的に変形又は変位し、延設部が挿入孔に対しそれと逆向きに移動する場合には係止するよう設けられた係止部からなるものとすることができる。
【００８９】
c) 上記延設部と上記条体保持器の挿入孔に上記固定用係合部が設けられ、上記延設部が挿入孔に挿入されて前記固定用係合部により延設部が挿入孔に対し挿入の向きと逆向きに移動することが防がれることにより、緊締体の延設部と条体保持器が固定されるもの。
【００９０】
この場合の条体保持器の挿入孔は、外部へ通じ、延設部が挿通し得るものとすることが好ましいが、外部へ通じないか又は延設部が挿通し得ないものとすることもできる。
【００９１】
このような固定用係合部としては、緊締体の延設部に、条体保持器の挿入孔に挿入する方向に沿って多数（好ましくは連続的に）設けられた係合歯と、条体保持器の挿入孔に、前記各係合歯が、前記延設部が前記挿入孔に対し挿入する向きに移動する場合は係止しないように弾性的に変形又は変位し、延設部が挿入孔に対しそれと逆向きに移動する場合には係止するよう設けられた係止部からなるものとすることができる。
【００９２】
(9) 多数の条体からなる束のうち、緊締部により緊締された箇所を含む部分が、その束の側方において条体保持器の椀形内面部の開口からその椀形内面部内に挿入され、緊締部により緊締された箇所の両側の条体群の端部側は、椀形内面部の開口の外部に位置する。例えば、多数の条体からなる束の中点から端部に至る長さの１乃至８割が椀形内面部の開口の外部に位置するものとすることができる。
【００９３】
上記束における、緊締部により緊締された箇所は、被緊締箇所から両側に離れるに従い、被緊締箇所の両側の条体群がそれぞれ全体として側方に広がる。但し、椀形内面部内では束が椀形内面部により圧縮されて被緊締箇所の両側の条体群が十分に広がらないことがある。
【００９４】
束における緊締部により緊締された箇所の両側の条体群同士は、椀形内面部の開口の外部において混合しているものであることが好ましい。特に、束における緊締部により緊締された箇所の両側の条体群同士は、椀形内面部の開口の外部において、互いに混合することにより両者を区別し得ない状態であることが好ましい。
【００９５】
このような、束における緊締部により緊締された箇所の両側の条体群同士の混合は、椀形内面部の開口の外部において、一部同士の混合であってもよく、全体同士の混合であってもよい。また、椀形内面部内においても束における緊締部により緊締された箇所の両側の条体群が一部同士又は全体同士混合していることが望ましい。
【００９６】
多数の条体からなる束における緊締部により緊締された箇所の両側の条体群の条体の端部は、椀形内面部の開口の外部において、全体的に均等状に分散した状態をなすことが好ましい。
【００９７】
また、多数の条体からなる束における緊締部により緊締された箇所の両側の条体群の条体の端部は、椀形内面部の開口の外部において椀形内面部よりも径方向外方まで広がっているものであることが好ましく、径方向最外方よりも内側には十分な密度で（より好ましくは全体的に均等状に分散した状態で）条体の端部が存在することが特に好ましい。
【００９８】
(10)   椀形内面部は、緊締体のうち緊締部と延設部の境界部の少なくとも一部が収容される収容凹部を有するものとすることができる。この場合、上記束における緊締部により緊締された箇所の両側の部分のうち、椀形内面部内に圧接する範囲を広くすることができる。
【００９９】
(11) 外部に開口する椀形内面部であって椀形内面部の一部から外方へ向かう挿入孔を有するものを複数備える条体保持器は、例えば、箱形状又は殻状であって、平面視において、長方形状若しくは角部が湾曲した長方形状、その他の多角形状若しくは角部が湾曲した多角形状、又は円形状若しくは楕円形状のものとすることができる。
【０１００】
１つの条体保持器における複数の椀形内面部は、挿入孔の位置を含めて互いに同一形状とすることができる他、同一形状であって一部又は全ての椀形内面部における挿入孔の位置が他と異なるものとすることや、一部又は全ての椀形内面部の形状が他と異なるものとすることもできる。
【０１０１】
また、１つの条体保持器における複数の椀形内面部は、例えば、一列若しくは複数列に、一定姿勢で並列状に若しくは種々の姿勢で、隣接して又は一定間隔若しくは種々の間隔おきに位置するものとすることができる。隣接した椀形内面部にそれぞれ保持された束の条体群は、一部が椀形内面部の開口の外部において混合しているものとすることができる。その場合、椀形内面部の開口の外部において、それらの隣接した束の条体群が連続状をなすものとなる。
【符号の説明】
【０１０２】
Ａ      固定部材
Ａ１    挿入部
Ａ１ａ  係止部
Ｂ      束
Ｄ      条体保持器
Ｄ１    略半球殻部
Ｄ１ａ  椀形内面部
Ｄ１ｂ  挿入孔
Ｄ１ｃ  収容凹部
Ｄ１ｄ  開口部
Ｄ１ｅ  リブ
Ｄ２    柄連結部
Ｆ      緊締体
Ｆ１    緊締部
Ｆ２    帯状部
Ｆ２ａ  係合歯
Ｆ３    挿通部
Ｆ３ａ  係止部
Ｆ３ｂ  支持部
Ｆ３ｃ  係止歯
Ｆ４    延設部
Ｈ      柄体
Ｊ      条体保持器
Ｊ１ａ  椀形内面部
Ｊ１ｂ  挿入孔
Ｊ１ｃ  係止部
Ｊ２    柄連結部
Ｓ      条体
【図１】
0005926513.tif 000002
【図２】
0005926513.tif 000003
【図３】
0005926513.tif 000004
【図４】
0005926513.tif 000005
【図５】
0005926513.tif 000006
【図６】
0005926513.tif 000007
【図７】
0005926513.tif 000008
【図８】
0005926513.tif 000009
【図９】
0005926513.tif 000010
【図１０】
0005926513.tif 000011